(57)【特許請求の範囲】
【請求項１】
貨幣の入金および出金の少なくともいずれか一方を行う貨幣処理装置であって、
装置本体と、
前記装置本体に対し着脱可能な貨幣収納庫と、
前記装置本体に対し前記貨幣収納庫をロックおよびロック解除するロック機構と、を備え、
前記ロック機構は、
電気的に駆動されてロック側状態から解除側状態に切り替わる第１ロック部と、
手動操作入力が行われるとロック側状態から解除側状態に切り替わる第２ロック部と、を有し、
前記第１ロック部が解除側状態にあり、前記第２ロック部がロック側状態から解除側状態に切り替わると、前記装置本体に対する前記貨幣収納庫のロックを解除し、
前記第２ロック部は、
前記貨幣収納庫に係合して該貨幣収納庫を前記装置本体にロックする移動可能な係合部材と、
前記手動操作入力である押圧操作がなされると移動し前記係合部材を移動させて該係合部材の前記貨幣収納庫への係合を解除し該貨幣収納庫の前記装置本体に対するロックを解除する係合解除部材と、を有することを特徴とする貨幣処理装置。
【請求項２】
前記第１ロック部は、前記係合解除部材の移動を規制する規制部材と、電気的に駆動されて前記規制部材による前記係合解除部材の移動規制を解除する規制解除部と、を有することを特徴とする請求項１記載の貨幣処理装置。
【請求項３】
前記ロック機構は、
キーと、
前記キーが係合されると回転可能となり、回転操作されると前記係合部材を移動させて該係合部材の前記貨幣収納庫への係合を解除する強制ロック解除部と、を有することを特徴とする請求項１または２記載の貨幣処理装置。
【請求項４】
貨幣の入金および出金の少なくともいずれか一方を行う貨幣処理装置であって、
装置本体と、
前記装置本体に対し着脱可能な貨幣収納庫と、
前記装置本体に対し前記貨幣収納庫をロックおよびロック解除するロック機構と、を備え、
前記ロック機構は、
電気的に駆動されてロック側状態から解除側状態に切り替わる第１ロック部と、
手動操作入力が行われるとロック側状態から解除側状態に切り替わる第２ロック部と、を有し、
前記第１ロック部が解除側状態にあり、前記第２ロック部がロック側状態から解除側状態に切り替わると、前記装置本体に対する前記貨幣収納庫のロックを解除し、
前記ロック機構は、
キーと、
前記キーが係合されると前記装置本体に対する前記貨幣収納庫のロックを解除可能となる強制ロック解除部と、を有することを特徴とする貨幣処理装置。
【請求項５】
貨幣の入金および出金の少なくともいずれか一方を行う貨幣処理装置であって、
装置本体と、
前記装置本体に対し着脱可能な貨幣収納庫と、
前記装置本体に対し前記貨幣収納庫をロックおよびロック解除するロック機構と、を備え、
前記ロック機構は、
電気的に駆動されてロック側状態から解除側状態に切り替わる第１ロック部と、
手動操作入力が行われるとロック側状態から解除側状態に切り替わる第２ロック部と、を有し、
前記第１ロック部が解除側状態にあり、前記第２ロック部がロック側状態から解除側状態に切り替わると、前記装置本体に対する前記貨幣収納庫のロックを解除し、
前記第１ロック部が解除側状態にあるとき、前記第２ロック部のロック側状態から解除側状態への切り替えが可能な旨を通知する通知部を有することを特徴とする貨幣処理装置。
【請求項６】
前記第１ロック部は、ロック側状態にあるとき、前記第２ロック部のロック側状態から解除側状態への切り替えを規制する一方、解除側状態にあるとき、前記第２ロック部のロック側状態から解除側状態への切り替えを許容することを特徴とする請求項１乃至５のいずれか一項記載の貨幣処理装置。
【発明の詳細な説明】
【技術分野】
【０００１】
本発明は、貨幣処理装置に関する。
【背景技術】
【０００２】
小売店の店舗に設置されたレジスタに収納するための現金を釣銭用現金収納庫から出金する出金機能と、レジスタから回収した現金を入金して釣銭用現金収納庫と現金回収庫とに収納する入金機能とを備えた現金処理装置において、現金回収庫の着脱を電磁ロックにより制御する技術がある（例えば、特許文献１参照）。
【先行技術文献】
【特許文献】
【０００３】
【特許文献１】特開２００７−２６５１５４号公報
【発明の概要】
【発明が解決しようとする課題】
【０００４】
ロック機構が電気駆動されることによって貨幣収納庫の装置本体へのロック状態が解除される貨幣処理装置では、場合によっては、電気駆動のタイミングが、実際に操作者による貨幣収納庫の取り外しのタイミングとは異なる可能性がある。そのような場合に、例えば、設置状況によっては、貨幣収納庫が操作者に気付かれないまま移動し装置本体から外れてしまう可能性がある。
【０００５】
したがって、本発明は、操作者が取り外しの意志を持って操作することで貨幣収納庫の装置本体に対するロックを解除することができる貨幣処理装置の提供を目的とする。
【課題を解決するための手段】
【０００６】
上記目的を達成するために、請求項１に係る発明は、貨幣の入金および出金の少なくともいずれか一方を行う貨幣処理装置であって、装置本体と、前記装置本体に対し着脱可能な貨幣収納庫と、前記装置本体に対し前記貨幣収納庫をロックおよびロック解除するロック機構と、を備え、前記ロック機構は、電気的に駆動されてロック側状態から解除側状態に切り替わる第１ロック部と、手動操作入力が行われるとロック側状態から解除側状態に切り替わる第２ロック部と、を有し、前記第１ロック部が解除側状態にあり、前記第２ロック部がロック側状態から解除側状態に切り替わると、前記装置本体に対する前記貨幣収納庫のロックを解除し、前記第２ロック部は、前記貨幣収納庫に係合して該貨幣収納庫を前記装置本体にロックする移動可能な係合部材と、前記手動操作入力である押圧操作がなされると移動し前記係合部材を移動させて該係合部材の前記貨幣収納庫への係合を解除し該貨幣収納庫の前記装置本体に対するロックを解除する係合解除部材と、を有することを特徴とする。
【０００７】
請求項２に係る発明は、請求項１に係る発明において、前記第１ロック部は、前記係合解除部材の移動を規制する規制部材と、電気的に駆動されて前記規制部材による前記係合解除部材の移動規制を解除する規制解除部と、を有することを特徴とする。
【０００８】
請求項３に係る発明は、請求項１または２に係る発明において、前記ロック機構は、キーと、前記キーが係合されると回転可能となり、回転操作されると前記係合部材を移動させて該係合部材の前記貨幣収納庫への係合を解除する強制ロック解除部と、を有することを特徴とする。
【０００９】
請求項４に係る発明は、貨幣の入金および出金の少なくともいずれか一方を行う貨幣処理装置であって、装置本体と、前記装置本体に対し着脱可能な貨幣収納庫と、前記装置本体に対し前記貨幣収納庫をロックおよびロック解除するロック機構と、を備え、前記ロック機構は、電気的に駆動されてロック側状態から解除側状態に切り替わる第１ロック部と、手動操作入力が行われるとロック側状態から解除側状態に切り替わる第２ロック部と、を有し、前記第１ロック部が解除側状態にあり、前記第２ロック部がロック側状態から解除側状態に切り替わると、前記装置本体に対する前記貨幣収納庫のロックを解除し、前記ロック機構は、キーと、前記キーが係合されると前記装置本体に対する前記貨幣収納庫のロックを解除可能となる強制ロック解除部と、を有することを特徴とする。
【００１０】
請求項５に係る発明は、貨幣の入金および出金の少なくともいずれか一方を行う貨幣処理装置であって、装置本体と、前記装置本体に対し着脱可能な貨幣収納庫と、前記装置本体に対し前記貨幣収納庫をロックおよびロック解除するロック機構と、を備え、前記ロック機構は、電気的に駆動されてロック側状態から解除側状態に切り替わる第１ロック部と、手動操作入力が行われるとロック側状態から解除側状態に切り替わる第２ロック部と、を有し、前記第１ロック部が解除側状態にあり、前記第２ロック部がロック側状態から解除側状態に切り替わると、前記装置本体に対する前記貨幣収納庫のロックを解除し、前記第１ロック部が解除側状態にあるとき、前記第２ロック部のロック側状態から解除側状態への切り替えが可能な旨を通知する通知部を有することを特徴とする。
【００１１】
請求項６に係る発明は、請求項１乃至５のいずれか一項に係る発明において、前記第１ロック部は、ロック側状態にあるとき、前記第２ロック部のロック側状態から解除側状態への切り替えを規制する一方、解除側状態にあるとき、前記第２ロック部のロック側状態から解除側状態への切り替えを許容することを特徴とする。
【発明の効果】
【００１２】
請求項１，４，５のいずれか一項に係る発明によれば、装置本体に対し貨幣収納庫をロックおよびロック解除するロック機構は、その第１ロック部が電気的に駆動されてロック側状態から解除側状態に切り替わる。このように第１ロック部が解除側状態にあるときに、手動操作入力が行われて第２ロック部がロック側状態から解除側状態に切り替わると、装置本体に対する貨幣収納庫のロックを解除することになる。よって、操作者が取り外しの意志を持って第２ロック部を手動操作することで貨幣収納庫の装置本体に対するロックを解除することができる。
【００１４】
請求項１に係る発明によれば、第２ロック部は、係合部材が貨幣収納庫に係合して貨幣収納庫を装置本体にロックすることになり、係合解除部材は、手動操作入力である押圧操作がなされると移動し係合部材を移動させて係合部材の貨幣収納庫への係合を解除し貨幣収納庫の装置本体に対するロックを解除する。
請求項２に係る発明によれば、このような第２ロック部に対して、第１ロック部は、規制部材が係合解除部材の移動を規制することで、係合部材の移動を規制して係合部材の貨幣収納庫への係合解除を規制する一方で、電気的に駆動されて規制部材による係合解除部材の移動規制を解除することで、係合部材の移動を許容して係合部材の貨幣収納庫への係合解除を許容する。したがって、ロック機構の構造を簡素化することができる。
【００１５】
請求項３に係る発明によれば、ロック機構の強制ロック解除部は、キーが係合されると回転可能となり、回転操作されると係合部材を移動させて係合部材の貨幣収納庫への係合を解除して、装置本体に対する貨幣収納庫のロックを解除することができる。したがって、第１ロック部および第２ロック部の状態にかかわらず、キーで装置本体に対する貨幣収納庫のロックを解除することができる。しかも、強制ロック解除部が係合部材を移動させることから、ロック機構の構造を簡素化することができる。
請求項４に係る発明によれば、ロック機構の強制ロック解除部は、キーが係合されると装置本体に対する貨幣収納庫のロックを解除可能となるため、第１ロック部および第２ロック部の状態にかかわらず、キーで装置本体に対する貨幣収納庫のロックを解除することができる。
【００１７】
請求項５に係る発明によれば、第１ロック部が解除側状態にあるとき、通知部が、第２ロック部のロック側状態から解除側状態への切り替えが可能な旨を通知するため、第２ロック部のロック側状態から解除側状態への切り替えが必要なことを操作者に認識させることができる。よって、不慣れな操作者でも装置本体に対する貨幣収納庫のロックを解除することができる。
請求項６に係る発明によれば、第１ロック部は、ロック側状態にあるとき、第２ロック部のロック側状態から解除側状態への切り替えを規制する一方、解除側状態にあるとき、第２ロック部のロック側状態から解除側状態への切り替えを許容するため、ロック機構の構造を簡素化することができる。
【図面の簡単な説明】
【００１８】
【図１】本発明に係る貨幣処理装置の一実施形態である紙幣入出金装置を示す斜視図である。
【図２】本発明に係る貨幣処理装置の一実施形態である紙幣入出金装置の内部構成を概略的に示す平面図である。
【図３】本発明に係る貨幣処理装置の一実施形態である紙幣入出金装置を含むＰＯＳレジシステムの制御系のブロック図である。
【図４】本発明に係る貨幣処理装置の一実施形態である紙幣入出金装置の筐体から引出体が引き出された状態を示す部分斜視図である。
【図５】本発明に係る貨幣処理装置の一実施形態である紙幣入出金装置の筐体から引出体が引き出され回収庫のロックが解除された状態を示す部分斜視図である。
【図６】本発明に係る貨幣処理装置の一実施形態である紙幣入出金装置の要部を示すいずれもロック側状態にある第１ロック部および第２ロック部を示す側面図である。
【図７】本発明に係る貨幣処理装置の一実施形態である紙幣入出金装置の要部を示す解除側状態にある第１ロック部およびロック側状態にある第２ロック部を示す側面図である。
【図８】本発明に係る貨幣処理装置の一実施形態である紙幣入出金装置の要部を示すいずれも解除側状態にある第１ロック部および第２ロック部を示す側面図である。
【図９】本発明に係る貨幣処理装置の一実施形態である紙幣入出金装置の通常状態にある強制ロック解除部を示す斜視図である。
【図１０】本発明に係る貨幣処理装置の一実施形態である紙幣入出金装置の強制ロック解除状態にある強制ロック解除部を示す斜視図である。
【発明を実施するための形態】
【００１９】
本発明に係る貨幣処理装置の一実施形態を図面を参照して以下に説明する。
本実施形態は、紙幣および硬貨からなる貨幣のうち、図１に示すように紙幣Ｂを入出金させる紙幣入出金装置１１となっている。紙幣入出金装置１１は、略直方体の外観形状となっている。この紙幣入出金装置１１は、最も短い辺部を高さ方向に配し、次に短い中間長さの辺部を幅方向（左右方向）に配し、最も長い辺部を奥行方向（前後方向）に配して設置され使用される。なお、紙幣入出金装置１１の奥行方向を装置前後方向とし、その操作者側を装置前側、操作者とは反対側を装置後側とする。また、操作者から見て左右方向を装置左右方向とし、操作者から見て左側を装置左側、操作者から見て右側を装置右側とする。
【００２０】
紙幣入出金装置１１には、装置前側の前面１２の近傍に入金部１５が設けられている。入金部１５には、一枚あるいは集積状態の紙幣Ｂが機外から上端開口部１５ａを介して挿入される。また、この入金部１５の装置後側に隣り合って、機内から紙幣Ｂが繰り出され、繰り出された紙幣Ｂが上端開口部１６ａから取り出し可能となる出金部１６が設けられている。
【００２１】
紙幣入出金装置１１の内部には、図２に示すように、装置前側から順に、入金部１５、出金部１６、紙幣Ｂを収納可能な着脱式の回収庫１８（貨幣収納庫）、部品配置スペース１９、紙幣Ｂを収納するとともに収納した紙幣Ｂを出金部１６に出金させる複数具体的には三つの着脱不可な還流庫２０、還流庫２１、還流庫２２、出金リジェクト紙幣を収納する着脱不可な出金リジェクト庫２３が設けられている。回収庫１８は還流庫２０〜２２からの紙幣Ｂを収納可能となっている。
【００２２】
入金部１５、出金部１６、回収庫１８、還流庫２０、還流庫２１、還流庫２２および出金リジェクト庫２３は、いずれも装置左右方向に長い横長の形状をなしており、すべて、長辺が上端および下端で装置左右方向に沿う姿勢の紙幣Ｂを受け入れるようになっている。言い換えれば、これらの入金部１５、出金部１６、回収庫１８、還流庫２０〜２２および出金リジェクト庫２３は、受け入れた紙幣Ｂの厚さ方向が同方向となるようにしてこの方向（装置前後方向と一致）に並設されている。
【００２３】
上記した入金部１５、出金部１６、回収庫１８、還流庫２０〜２２および出金リジェクト庫２３は、紙幣入出金装置１１の内部の装置左右方向における一側（具体的には装置右側）に寄せられて設けられており、これにより紙幣入出金装置１１の内部の装置左右方向逆側（具体的には装置左側）にはスペースが形成されている。このスペースに、これら入金部１５、出金部１６、回収庫１８、還流庫２０〜２２および出金リジェクト庫２３を接続させて紙幣Ｂのやり取りを行う搬送部２７が配置されている。なお、この搬送部２７も紙幣Ｂを常に長辺が上端および下端となる姿勢で搬送する。
【００２４】
搬送部２７は、最も前面１２側の入金部１５と最も前面１２とは反対側の出金リジェクト庫２３とを結ぶ主搬送路２８と、主搬送路２８の出金部１６の近傍から分岐して出金部１６に接続される分岐搬送路２９と、主搬送路２８の回収庫１８の近傍から分岐して回収庫１８に接続される分岐搬送路３０と、主搬送路２８の還流庫２０の近傍から分岐して還流庫２０に接続される分岐搬送路３２と、主搬送路２８の還流庫２１の近傍から分岐して還流庫２１に接続される分岐搬送路３３と、主搬送路２８の還流庫２２の近傍から分岐して還流庫２２に接続される分岐搬送路３４と、を有している。
【００２５】
主搬送路２８は、入金部１５の前面１２側と、出金リジェクト庫２３の前面１２側とに接続されている。分岐搬送路２９は出金部１６の前面１２側に、分岐搬送路３０は回収庫１８の前面１２とは反対側に、分岐搬送路３２は還流庫２０の前面１２とは反対側に、分岐搬送路３３は還流庫２１の前面１２とは反対側に、分岐搬送路３４は還流庫２２の前面１２とは反対側に、それぞれ接続されている。
【００２６】
また、搬送部２７は、主搬送路２８を介して還流庫２０〜２２側から搬送されてきた紙幣Ｂを、駆動状態で分岐搬送路２９に案内して出金部１６に搬送させる一方、非駆動状態ではそのまま主搬送路２８で搬送させる振分部２９Ｇと、分岐搬送路２９の紙幣Ｂを検知する紙幣検知センサ２９Ｓとを有している。分岐搬送路２９は、出金部１６に向けて回転して紙幣Ｂを出金部１６に送り込むローラ対２９Ｒを有している。
【００２７】
また、搬送部２７は、主搬送路２８を介して還流庫２０〜２２側から搬送されてきた紙幣Ｂを、駆動状態で分岐搬送路３０に案内して回収庫１８に搬送させる一方、非駆動状態ではそのまま主搬送路２８で搬送させる振分部３０Ｇと、分岐搬送路３０の紙幣Ｂを検知する紙幣検知センサ３０Ｓとを有している。分岐搬送路３０は、回収庫１８に向けて回転して紙幣Ｂを回収庫１８に送り込むローラ対３０Ｒを有している。
【００２８】
また、搬送部２７は、主搬送路２８を介して入金部１５側から搬送されてきた紙幣Ｂを、駆動状態で分岐搬送路３２に案内して還流庫２０に搬送させる一方、非駆動状態ではそのまま主搬送路２８で搬送させる振分部３２Ｇと、分岐搬送路３２の紙幣Ｂを検知する紙幣検知センサ３２Ｓとを有している。分岐搬送路３２は、還流庫２０に向けて回転して紙幣Ｂを還流庫２０に送り込むローラ３２Ｒａ，３２Ｒｂを有している。還流庫２０には、ローラ３２Ｒａ，３２Ｒｂに向けて紙幣Ｂを蹴り出す蹴出ローラ２０Ｒが設けられている。一方のローラ３２Ｒａは、還流庫２０から紙幣Ｂを繰り出す際に回転し、他方のローラ３２Ｒｂは、還流庫２０から紙幣Ｂを繰り出す際には停止して紙幣Ｂを一枚ずつに分離する。
【００２９】
また、搬送部２７は、主搬送路２８を介して入金部１５側から搬送されてきた紙幣Ｂを、駆動状態で分岐搬送路３３に案内して還流庫２１に搬送させる一方、非駆動状態ではそのまま主搬送路２８で搬送させる振分部３３Ｇと、分岐搬送路３３の紙幣Ｂを検知する紙幣検知センサ３３Ｓとを有している。分岐搬送路３３は、還流庫２１に向けて回転して紙幣Ｂを還流庫２１に送り込むローラ３３Ｒａ，３３Ｒｂを有している。還流庫２１には、ローラ３３Ｒａ，３３Ｒｂに向けて紙幣Ｂを蹴り出す蹴出ローラ２１Ｒが設けられている。一方のローラ３３Ｒａは、還流庫２１から紙幣Ｂを繰り出す際に回転し、他方のローラ３３Ｒｂは、還流庫２１から紙幣Ｂを繰り出す際には停止して紙幣Ｂを一枚ずつに分離する。
【００３０】
また、搬送部２７は、主搬送路２８を介して入金部１５側から搬送されてきた紙幣Ｂを、駆動状態で分岐搬送路３４に案内して還流庫２２に搬送させる一方、非駆動状態ではそのまま主搬送路２８で搬送させる振分部３４Ｇと、分岐搬送路３４の紙幣Ｂを検知する紙幣検知センサ３４Ｓとを有している。分岐搬送路３４は、還流庫２２に向けて回転して紙幣Ｂを還流庫２２に送り込むローラ３４Ｒａ，３４Ｒｂを有している。還流庫２２には、ローラ３４Ｒａ，３４Ｒｂに向けて紙幣Ｂを蹴り出す蹴出ローラ２２Ｒが設けられている。一方のローラ３４Ｒａは、還流庫２２から紙幣Ｂを繰り出す際に回転し、他方のローラ３４Ｒｂは、還流庫２２から紙幣Ｂを繰り出す際には停止して紙幣Ｂを一枚ずつに分離する。
【００３１】
入金部１５は、主搬送路２８に向けて紙幣Ｂを蹴り出す蹴出ローラ１５Ｒａと、蹴出ローラ１５Ｒａで蹴り出された紙幣Ｂを主搬送路２８に繰り出す繰出ローラ１５Ｒｂと、繰出ローラ１５Ｒｂで繰り出される紙幣Ｂを、停止することにより一枚ずつに分離する分離ローラ１５Ｒｃとを有している。入金部１５には、挿入された紙幣Ｂを検知する紙幣検知センサ１５Ｓが設けられている。蹴出ローラ１５Ｒａ、繰出ローラ１５Ｒｂおよび分離ローラ１５Ｒｃは、入金部１５に挿入された紙幣Ｂを装置左右方向一側（装置左側）の側方にある主搬送路２８に向けて繰り出す繰出機構３８を構成している。
【００３２】
主搬送路２８には、分岐搬送路２９，３０間に紙幣Ｂを識別する識別部４０が設けられている。主搬送路２８には、入金部１５の繰出ローラ１５Ｒｂおよび分離ローラ１５Ｒｃと分岐搬送路２９との間に搬送ローラ対Ｒ１が、分岐搬送路２９と識別部４０との間に搬送ローラ対Ｒ２が、識別部４０と分岐搬送路３０との間に搬送ローラ対Ｒ３が、分岐搬送路３０，３２間に、搬送ローラ対Ｒ４、搬送ローラ対Ｒ５および搬送ローラ対Ｒ６が、分岐搬送路３２，３３間に搬送ローラ対Ｒ７が、分岐搬送路３３，３４間に搬送ローラ対Ｒ８が、分岐搬送路３４と出金リジェクト庫２３との間に搬送ローラ対Ｒ９および搬送ローラ対Ｒ１０が、それぞれ設けられている。搬送ローラ対Ｒ１０は、出金リジェクト庫２３に紙幣Ｂを送り込む。
【００３３】
主搬送路２８には、入金部１５の繰出ローラ１５Ｒｂおよび分離ローラ１５Ｒｃと搬送ローラ対Ｒ１との間に、紙幣Ｂを検知する紙幣検知センサＳ１が、搬送ローラ対Ｒ９と搬送ローラ対Ｒ１０との間に、紙幣Ｂを検知する紙幣検知センサＳ２が設けられている。
【００３４】
搬送部２７には、主搬送路２８の搬送ローラ対Ｒ５および搬送ローラ対Ｒ６の間に、紙幣Ｂを検知するとともに紙幣Ｂの重送を検知する重送検知センサＳ３が、主搬送路２８の分岐搬送路３２と搬送ローラ対Ｒ７との間に、同様の重送検知センサＳ４が、主搬送路２８の分岐搬送路３３と搬送ローラ対Ｒ８との間に、同様の重送検知センサＳ５が、それぞれ設けられている。
【００３５】
上記した振分部２９Ｇ，３０Ｇ，３２Ｇ，３３Ｇ，３４Ｇは、通常は非駆動状態となっており、必要により電気的に駆動されて切り替えられる。
【００３６】
回収庫１８と還流庫２０との間の部品配置スペース１９には、搬送部２７を駆動するための搬送メインモータや、回収庫１８を紙幣入出金装置１１内に収納しセットするための回収庫収納機構、回収庫１８を紙幣入出金装置１１に固定するための電磁ロック機構等が配置されている。
【００３７】
図１に示すように、紙幣入出金装置１１には、出金部１６の装置後側に、操作者に向け表示を行う表示部４１（通知部）と、操作者による操作入力がなされる操作部４２とが設けられている。また、紙幣入出金装置１１には、入金部１５の装置左側に表示ランプ４３（通知部）が設けられており、出金部１６の装置左側にも表示ランプ４４（通知部）が設けられている。
【００３８】
図３に示すように、紙幣入出金装置１１は、上位機としてのＰＯＳレジ５０に硬貨入出金装置５１とともに接続されて売上金の入金および釣銭の出金等を行うものである。図示は略すが、紙幣入出金装置１１と硬貨入出金装置５１とは左右方向に並べられ、これらの上に、ＰＯＳレジ５０が設置されることになる。
【００３９】
ＰＯＳレジ５０は、操作者により操作入力がなされる入力操作部６０と、操作者に対して表示を行う入力表示部６１と、商品のバーコードを読み取るバーコード読取部６２と、ＩＤカードが走査されるとＩＤ情報を読み取るカード読取部６３と、商品の料金を表示させる料金表示部６４と、用紙に印字してレシートを発行するレシート印字部６５とを有している。ＰＯＳレジ５０は、これらと紙幣入出金装置１１と硬貨入出金装置５１とを制御する制御部６６を有している。
【００４０】
図１に示すように、紙幣入出金装置１１の前面１２には、キーシリンダ７１が設けられており、このキーシリンダ７１に別体のキー７２が差し込まれて回動操作されると、図４に示すように、筐体７５から引出体７６が引き出し可能となる。つまり、キーシリンダ７１は、筐体７５に押し込まれた状態の引出体７６を筐体７５にロックする図示略の筐体ロック機構のロックを解除する。紙幣入出金装置１１の前面１２には、筐体７５から引出体７６を引き出す際に操作者により把持される取っ手７７が設けられている。また、紙幣入出金装置１１には、筐体７５から引出体７６が所定位置まで引き出されると、これを検知する図示略の引出検知センサが設けられている。
【００４１】
ここで、引出体７６に、入金部１５、出金部１６、回収庫１８、表示部４１および操作部４２と、図２に示す還流庫２０、還流庫２１、還流庫２２、出金リジェクト庫２３および搬送部２７等が設けられている。入金部１５、出金部１６、表示部４１および操作部４２は、図１に示すように引出体７６が筐体７５に押し込まれて図示略の筐体ロック機構でロックされた状態にあっても筐体７５に覆われることはなく露出し、図２に示す回収庫１８、還流庫２０、還流庫２１、還流庫２２および出金リジェクト庫２３は、引出体７６が筐体７５に押し込まれて図示略の筐体ロック機構でロックされた状態にあると筐体７５に覆われる位置に設けられている。回収庫１８、還流庫２０、還流庫２１、還流庫２２および出金リジェクト庫２３のうちの少なくとも回収庫１８は、図４に示すように筐体７５から引出体７６が引き出されると、外部に露出する。
【００４２】
回収庫１８は、外部に露出する状態で、引出体７６の回収庫１８を除く部分である引出体本体部８０に対し着脱可能となっている。言い換えれば、回収庫１８は、外部に露出する状態で、引出体本体部８０と筐体７５とからなる装置本体８１に対し着脱可能となっている。回収庫１８は、図４および図５に示すように、引出体本体部８０に対し左右方向にスライド可能となっている。回収庫１８は、引出体本体部８０から右側に引き抜かれて取り外されることになり、引出体本体部８０に右側から押し込まれて取り付けられることになる。
【００４３】
引出体本体部８０には、引出体本体部８０に対し回収庫１８を装着状態でロックしたり、ロックを解除するロック機構８４が回収庫１８よりも装置後側に設けられている。
【００４４】
図６に示すように、ロック機構８４は、第１ロック部８５と第２ロック部８６とを有している。第１ロック部８５は、電気的に駆動されてロック側状態から解除側状態に切り替わるものであり、第２ロック部８６は、手動操作入力が行われるとロック側状態から解除側状態に切り替わるものである。
【００４５】
第１ロック部８５は、引出体本体部８０に位置固定で設けられたソレノイド本体９１と、ソレノイド本体９１から装置前側に突出しソレノイド本体９１に対して装置前後方向にスライドするプランジャ９２とを有するソレノイド９３（規制解除部）と、引出体本体部８０に位置固定で設けられた支持軸９５と、この支持軸９５に上端部が回動可能に支持された規制部材９６と、規制部材９６の下部をプランジャ９２に回動可能に連結する連結軸９７とを有している。
【００４６】
ソレノイド９３は、電気的に駆動されていない状態では、プランジャ９２が、ソレノイド本体９１内の図示略の内部スプリングで付勢されてソレノイド本体９１から突出している。プランジャ９２が内部スプリングの付勢力でソレノイド本体９１から最も突出する状態にあるとき、図６に示すように規制部材９６の下部を最も装置前側に位置させる。この状態が、第１ロック部８５のロック側状態となっている。
【００４７】
また、第１ロック部８５は、ソレノイド９３が電気的に駆動されると、プランジャ９２を内部スプリングの付勢力に抗してソレノイド本体９１内に引き込むことになり、これにより、規制部材９６が支持軸９５を中心に回動して下部を装置後側に位置させる。図７に示すようにプランジャ９２をソレノイド本体９１内に最も引き込んだ状態が、第１ロック部８５の解除側状態となっている。これにより、第１ロック部８５は、電気的に駆動されてロック側状態から解除側状態に切り替わる。第１ロック部８５の規制部材９６の装置後側の後部には、図６に示すようにロック側状態にあるとき、後述するように第２ロック部８６のロック側状態から解除側状態への切り替えを規制する規制片部９８が、支持軸９５と連結軸９７との間の連結軸９７の近傍に形成されている。
【００４８】
図８に示すように、第２ロック部８６は、引出体本体部８０内において装置前後方向に移動可能に設けられた係合部材１０１を有している。この係合部材１０１には、装置前後方向に長い長穴１０２が装置前側の前部に形成されている。第２ロック部８６は、規制部材９６の支持軸９５と連結軸９７との間に固定されて長穴１０２に挿入される支持軸１０３と、引出体本体部８０に位置固定で設けられた支持軸１０４と、支持軸１０４に回動可能に支持されたクランク形状の支持部材１０５と、支持部材１０５の下端部に係合部材１０１の中間部を回動可能に連結させる連結軸１０６とを有している。
【００４９】
係合部材１０１は、長穴１０２に挿入された支持軸１０３と、支持部材１０５の連結軸１０６とによって、引出体本体部８０内で装置前後方向に移動可能となるように支持されている。この係合部材１０１は、装置前側の前部に、三角形状をなして上方に突出する突出部１１０を有しており、この突出部１１０には前下がりの傾斜上面１１１が形成されている。この係合部材１０１は、装置前側の前端部の係合部１１２が、回収庫１８の後面に設けられた凹部１１４に係合して引出体本体部８０に回収庫１８をロックする。第２ロック部８６は、図６に示すように係合部材１０１を装置前側に付勢して係合部１１２の凹部１１４への係合状態を維持する係合スプリング１１５を有している。
【００５０】
第２ロック部８６は、図７および図８に示すように上下方向に移動可能に引出体本体部８０に設けられた係合解除部材１２１を有している。係合解除部材１２１は、その上端部に押圧操作が入力される操作ボタン部１２２が形成されており、その下部に上下方向に長い長穴１２３が形成されている。この長穴１２３に、支持軸９５とその下方の支持軸１０３とが挿入されており、係合解除部材１２１は、これら支持軸９５，１０３で長穴１２３が案内されて上下に移動する。係合解除部材１２１は、装置右方に突出する三角形状の突出部１２５を有しており、この突出部１２５には前下がりの傾斜下面１２６が形成されている。
【００５１】
係合解除部材１２１には、図６に示すように第１ロック部８５がロック側状態にあるとき、その規制部材９６の規制片部９８と水平方向の位置を重ね合わせる規制当接部１２８が装置後側の下端部に形成されている。ロック側状態にある第１ロック部８５の規制片部９８は、規制当接部１２８の鉛直下方にあり、よって、係合解除部材１２１は、操作ボタン部１２２が下方に押圧されると、規制当接部１２８がロック側状態にある第１ロック部８５の規制片部９８に当接する。これにより、係合解除部材１２１の下方への移動が規制される。係合解除部材１２１が、その規制当接部１２８を規制片部９８よりも上側に位置させる状態が第２ロック部８６のロック側状態となっている。
【００５２】
ソレノイド９３が電気的に駆動されて第１ロック部８５が解除側状態にあると、図７に示すように規制部材９６の規制片部９８が装置後側に移動することになる。これにより、規制片部９８は、第２ロック部８６の係合解除部材１２１の規制当接部１２８の鉛直下方から水平方向においてずれる。この状態で、操作ボタン部１２２が下方に押圧されると、規制当接部１２８は規制片部９８に当接することがなく、よって、図８に示すように係合解除部材１２１が下降する。つまり、第１ロック部８５のソレノイド９３は、電気的に駆動されて規制部材９６による係合解除部材１２１の移動規制を解除する。
【００５３】
第１ロック部８５が解除側状態にある状態で、操作ボタン部１２２が下方に押圧されて係合解除部材１２１が下方に移動すると、その突出部１２５の傾斜下面１２６が係合部材１０１の突出部１１０の傾斜上面１１１に当接してこれを下方に押圧する。すると、傾斜下面１２６および傾斜上面１１１の傾斜によって、係合部材１０１が回収庫１８に対し装置後側に移動し、その係合部１１２が回収庫１８の凹部１１４から抜け出す。これにより、ロック機構８４は、回収庫１８の引出体本体部８０に対するロックを解除する。
【００５４】
つまり、ロック機構８４は、第１ロック部８５が電気的に駆動されて解除側状態にあり、操作ボタン部１２２が下方に押圧されて第２ロック部８６がロック側状態から解除側状態に切り替わると、装置本体８１に対する回収庫１８のロックを解除する。ロック機構８４は、第１ロック部８５がロック側状態にあるとき、第２ロック部８６のロック側状態から解除側状態への切り替えを規制する一方、第１ロック部８５が解除側状態にあるとき、第２ロック部８６のロック側状態から解除側状態への切り替えを許容する。
【００５５】
以上により、第２ロック部８６は、回収庫１８に係合して回収庫１８を装置本体８１の引出体本体部８０にロックする移動可能な係合部材１０１と、手動操作入力である押圧操作がなされると移動し係合部材１０１を移動させて係合部材１０１の回収庫１８への係合を解除し回収庫１８の引出体本体部８０に対するロックを解除する係合解除部材１２１と、を有している。第１ロック部８５は、係合解除部材１２１の移動を規制する規制部材９６と、電気的に駆動されて規制部材９６による係合解除部材１２１の移動規制を解除するソレノイド９３と、を有している。
【００５６】
なお、引出体本体部８０には、回収庫１８のロック機構８４によるロックが解除されると、引出体本体部８０に対し回収庫１８を装置右方に押し出す図示略の押出スプリングが設けられている。取り外した回収庫１８をこの押出スプリングに付勢力に抗して引出体本体部８０に押し込むと、回収庫１８が図示略の傾斜面で係合部１１２に当接して係合部材１０１を係合スプリング１１５の付勢力に抗して装置後側に移動させることになり、回収庫１８の凹部１１４の位置が係合部材１０１の係合部１１２に合うと、係合部材１０１が係合スプリング１１５の付勢力で移動して係合部１１２を凹部１１４に入り込ませる。これにより、ロック機構８４は、引出体本体部８０に対し回収庫１８を取り外し不可にロックする。ロック機構８４には、このように、回収庫１８が引出体本体部８０にロックされる装填位置まで押し込まれると、これを検知する図示略の回収庫装填検知センサが設けられている。
【００５７】
ロック機構８４は、図９に示すように、キー１３１と、キー１３１が係合されると装置本体８１の引出体本体部８０に対する回収庫１８のロックを解除可能となる強制ロック解除部１３２とを有している。強制ロック解除部１３２は、図１０に示すようにキー１３１が係合されると回転可能となり、回転操作されると下部の押圧片部１３３を図９から図１０に示すように回転させるキーシリンダ１３４と、押圧片部１３３で押圧される上記した支持部材１０５とを有している。押圧片部１３３は支持部材１０５の上端の押圧当接部１３５の装置後側に位置しており、キー１３１が係合されて回転操作されると支持部材１０５の押圧当接部１３５に当接してこれを装置前側に移動させる。すると、支持部材１０５は、支持軸１０４を中心に回動して下部の連結軸１０６を装置後側に移動させることになり、この連結軸１０６に連結された係合部材１０１を装置後側に移動させて、その係合部１１２を回収庫１８の凹部１１４から抜け出させる。これにより、ロック機構８４は、回収庫１８の引出体本体部８０に対するロックを解除する。つまり、強制ロック解除部１３２は、キー１３１が係合されて回転操作されると係合部材１０１を移動させて係合部材１０１の回収庫１８への係合を解除する。
【００５８】
以上に述べた構成の本実施形態の紙幣入出金装置１１の各処理別の作動を説明する。
「入金処理」
入金処理時は、ＰＯＳレジ５０の制御部６６からの指令に基づいて、紙幣入出金装置１１が入金処理を行うための入金動作モードとなり、入金部１５に紙幣Ｂが挿入可能である旨を示すため表示ランプ４３を点灯または点滅させる。この状態で、紙幣Ｂが、長辺を上端および下端とする姿勢で、上端開口部１５ａから入金部１５に挿入されることになる。紙幣Ｂが複数枚ある場合には厚さ方向および集積方向を装置前後方向にして集積させた状態で、上端開口部１５ａから入金部１５に挿入される。そして、上端開口部１５ａから入金部１５に紙幣Ｂが挿入されたことを紙幣検知センサ１５Ｓが検出すると、制御部６６は、入金部１５から紙幣Ｂを一枚ずつ分離して側方の図２に示す主搬送路２８に送り出す。制御部６６は、各紙幣Ｂの入金部１５から主搬送路２８への送り出し完了を紙幣検知センサＳ１の検出結果から判断する。
【００５９】
主搬送路２８に送り出された紙幣Ｂは、搬送ローラ対Ｒ１〜Ｒ１０の正転駆動によって主搬送路２８上を入金部１５から還流庫２０〜２２に向かって搬送され、その途中、分岐搬送路２９を越えた位置（還流庫２０〜２２よりも手前）で識別部４０により入金の可不可および金種が識別されることになる。識別部４０で入金可能と識別された紙幣Ｂは、制御部６６が還流庫２０〜２２用の振分部３２Ｇ〜３４Ｇのうち該当する金種用のものを駆動して、金種の還流庫２０〜２２のうちの該当する金種のものに収納させる。
【００６０】
具体的には、紙幣Ｂが入金可能な千円券紙幣であった場合、制御部６６は、この紙幣Ｂが重送検知センサＳ３で検出されるタイミングに基づいて振分部３２Ｇを駆動して、この紙幣Ｂを搬送ローラ対Ｒ６の駆動で分岐搬送路３２に送り込み、ローラ３２Ｒａ，３２Ｒｂの駆動で還流庫２０に収納する。制御部６６は、この還流庫２０への各紙幣Ｂの収納の完了を紙幣検知センサ３２Ｓの検出結果から判断する。
【００６１】
また、紙幣Ｂが入金可能な五千円券紙幣であった場合、制御部６６は、この紙幣Ｂが重送検知センサＳ４で検出されるタイミングに基づいて振分部３３Ｇを駆動して、この紙幣Ｂを搬送ローラ対Ｒ７の駆動で分岐搬送路３３に送り込み、ローラ３３Ｒａ，３３Ｒｂの駆動で還流庫２１に収納する。制御部６６は、この還流庫２１への各紙幣Ｂの収納の完了を紙幣検知センサ３３Ｓの検出結果から判断する。
【００６２】
また、紙幣Ｂが入金可能な万円券紙幣であった場合、制御部６６は、この紙幣Ｂが重送検知センサＳ５で検出されるタイミングに基づいて振分部３４Ｇを駆動して、この紙幣Ｂを搬送ローラ対Ｒ８の駆動で分岐搬送路３４に送り込み、ローラ３４Ｒａ，３４Ｒｂの駆動で還流庫２２に収納する。制御部６６は、この還流庫２２への各紙幣Ｂの収納の完了を紙幣検知センサ３４Ｓの検出結果から判断する。
【００６３】
他方、識別部４０で入金不可と識別された紙幣Ｂは、搬送ローラ対Ｒ１〜Ｒ１０の逆転駆動によって主搬送路２８上を上記とは逆方向に搬送される。制御部６６は、識別部４０の検出に基づくタイミングで振分部２９Ｇを駆動してこの紙幣Ｂを搬送ローラ対Ｒ２の駆動で分岐搬送路２９に送り込んでローラ対２９Ｒの駆動で出金部１６に搬送する。制御部６６は、この出金部１６への各紙幣Ｂの送り込みの完了を紙幣検知センサ２９Ｓの検出結果から判断する。
【００６４】
入金部１５の紙幣Ｂがすべて、還流庫２０〜２２および出金部１６のいずれかに搬送されると、制御部６６は、出金部１６に紙幣Ｂがある場合には、出金部１６により紙幣Ｂを上端開口部１６ａから機外に取り出し可能に突出させる。
【００６５】
「出金処理」
出金処理時には、ＰＯＳレジ５０の制御部６６からの指令に基づいて、紙幣入出金装置１１が出金処理を行うための出金動作モードとなり、搬送ローラ対Ｒ１〜Ｒ１０の逆転駆動によって、還流庫２０〜２２のいずれか一つから紙幣Ｂを分岐搬送路３２〜３４の対応するものおよび主搬送路２８を介して出金部１６に向けて搬送することになる。還流庫２０から紙幣Ｂを繰り出す場合、紙幣Ｂを、蹴出ローラ２０Ｒがローラ３２Ｒａ，３２Ｒｂに向け蹴り出し、ローラ３２Ｒｂで一枚に分離しながらローラ３２Ｒａが分岐搬送路３２に繰り出す。還流庫２１から紙幣Ｂを繰り出す場合、紙幣Ｂを、蹴出ローラ２１Ｒがローラ３３Ｒａ，３３Ｒｂに向け蹴り出し、ローラ３３Ｒｂで一枚に分離しながらローラ３３Ｒａが分岐搬送路３３に繰り出す。還流庫２２から紙幣Ｂを繰り出す場合、蹴出ローラ２２Ｒが紙幣Ｂをローラ３４Ｒａ，３４Ｒｂに向け蹴り出し、ローラ３４Ｒｂで一枚に分離しながらローラ３４Ｒａが分岐搬送路３４に繰り出す。
【００６６】
そして、紙幣Ｂは、主搬送路２８での搬送中に、重送検知センサＳ３〜Ｓ５のうちの通過するもので重送の有無が検知されることになる。制御部６６は、重送でない紙幣Ｂを、識別部４０の検出に基づくタイミングで振分部２９Ｇを駆動することにより分岐搬送路２９を介して出金部１６に送り込む。制御部６６は、この出金部１６への各紙幣Ｂの送り込みの完了を紙幣検知センサ２９Ｓの検出結果から判断する。
【００６７】
他方、制御部６６は、重送の紙幣Ｂを、搬送ローラ対Ｒ１〜Ｒ１０の正転駆動によって、主搬送路２８で出金リジェクト庫２３の方向に搬送し出金リジェクト庫２３に収納させる。制御部６６は、この出金リジェクト庫２３への各紙幣Ｂの収納の完了を紙幣検知センサＳ２の検出結果から判断する。
【００６８】
還流庫２０〜２２から出金部１６への紙幣Ｂの搬送を適宜繰り返すことで、出金する全金種の全枚数の紙幣Ｂが出金部１６に送り込まれると、制御部６６は、出金部１６により紙幣Ｂを上端開口部１６ａから突出させて機外に取り出し可能な状態とする。そして、出金部１６から紙幣Ｂが取り出し可能である旨を示すため表示ランプ４４を点灯または点滅させる。
【００６９】
「回収処理」
回収処理時には、ＰＯＳレジ５０の入力操作部６０へ回収処理を行うことを選択する操作入力がなされる。すると、ＰＯＳレジ５０の制御部６６からの指令に基づいて、紙幣入出金装置１１が回収処理を行うための回収処理モードとなる。回収処理モードで、制御部６６は、還流庫２０〜２２のいずれか一つの回収対象庫から紙幣Ｂを出金処理と同様にして主搬送路２８に繰り出し、主搬送路２８を介して回収庫１８側に向けて搬送する。主搬送路２８の搬送中に重送検知センサＳ３〜Ｓ５のうち紙幣Ｂが通過するものが紙幣Ｂの重送を検知することになり、制御部６６は、重送でない紙幣Ｂを、搬送ローラ対Ｒ４および振分部３０Ｇで分岐搬送路３０に送り込み、ローラ対３０Ｒで回収庫１８に収納する。制御部６６は、この回収庫１８への各紙幣Ｂの収納の完了を紙幣検知センサ３０Ｓの検出結果から判断する。
【００７０】
他方、制御部６６は、重送の紙幣Ｂを、搬送ローラ対Ｒ１〜Ｒ１０の正転駆動によって、主搬送路２８で出金リジェクト庫２３に向けて搬送し出金リジェクト庫２３に収納する。制御部６６は、この出金リジェクト庫２３への各紙幣Ｂの収納の完了を紙幣検知センサＳ２の検出結果から判断する。
【００７１】
還流庫２０〜２２のうちの一つの回収対象庫のすべての紙幣Ｂが、回収庫１８または出金リジェクト庫２３に送り込まれると、この回収対象庫についての回収処理を終了する。これにより、回収対象庫の金種の紙幣が、紙幣検知センサ３０Ｓで計数された枚数だけ回収庫１８に送り込まれる。
【００７２】
回収対象庫についての回収処理を終了すると、ＰＯＳレジ５０の制御部６６は、筐体７５に対する引出体７６のキー７２によるロック解除を促す表示をＰＯＳレジ５０の入力表示部６１および紙幣入出金装置１１の表示部４１に表示させる。
【００７３】
これにより、操作者は、図１に示すキー７２により筐体７５に対する引出体７６のロックを解除し、取っ手７７を把持して引出体７６を筐体７５から装置前方に引き出す。図４に示すように回収庫１８が引出体本体部８０から取り外し可能な位置まで引出体７６が筐体７５から引き出されると、図示略の引出検知センサがこれを検知する。すると、ＰＯＳレジ５０の制御部６６は、それまで図６に示すロック側状態にあった第１ロック部８５のソレノイド９３を電気的に駆動して、第１ロック部８５を図７に示す解除側状態に切り替える。
【００７４】
ここで、図６に示すようにソレノイド９３が電気的に駆動されていないロック側状態では、プランジャ９２がソレノイド本体９１から最も突出しており、これにより、規制部材９６の規制片部９８がロック側状態にある第２ロック部８６の解除側状態への切り替えを規制している。つまり、規制部材９６の規制片部９８が、第２ロック部８６の係合解除部材１２１の規制当接部１２８に当接して係合解除部材１２１の下方への移動を規制する。これにより、回収庫１８が引出体本体部８０から取り外し可能な位置まで引出体７６が筐体７５から引き出される前に、係合解除部材１２１が押圧操作されてロック機構８４がロック解除状態になることを規制する。
【００７５】
第１ロック部８５のソレノイド９３は、電気的に駆動されると、図７に示すようにプランジャ９２をソレノイド本体９１内に最も引き込むことになり、これにより、規制部材９６を支持軸９５を中心に回動させて規制片部９８を係合解除部材１２１の規制当接部１２８の鉛直下方から装置後側に移動させる。これにより、係合解除部材１２１の下方移動つまり第２ロック部８６のロック側状態から解除側状態への切り替えが許容される状態になる。なお、この状態でも、回収庫１８は、係合部材１０１によって引出体本体部８０にロックされた装填状態に維持されている。
【００７６】
制御部６６は、このように第１ロック部８５のソレノイド９３を駆動して第１ロック部８５を解除側状態にすると、紙幣入出金装置１１の図１に示す表示部４１に、回収庫１８の取り外し操作である操作ボタン部１２２の押圧操作が可能である旨のテキスト表示を表示させるとともに、入金部１５の側部の表示ランプ４３と出金部１６の側部の表示ランプ４４とを点滅させて、操作者に報知を行う。言い換えれば、表示部４１および表示ランプ４３，４４は、第１ロック部８５が解除側状態にあるとき、第２ロック部８６のロック側状態から解除側状態への切り替えが可能な旨を通知する。
【００７７】
この状態で、操作者が、図７から図８に示すように、第２ロック部８６の係合解除部材１２１の操作ボタン部１２２を下方に押圧すると、係合解除部材１２１が下方に移動し、係合解除部材１２１の突出部１２５の傾斜下面１２６が、係合部材１０１の突出部１１０の傾斜上面１１１に当接してこれを下方に押圧する。すると、傾斜下面１２６および傾斜上面１１１の傾斜によって、係合部材１０１が回収庫１８に対し装置後側に移動し、その係合部１１２が回収庫１８の凹部１１４から抜け出す。これにより、ロック機構８４は、回収庫１８の引出体本体部８０に対するロックを解除する。すると、回収庫１８は図示略の押出スプリングの付勢力で図５に示すように引出体本体部８０から所定量右方に一部が突出する。これにより、図８に示す回収庫１８の凹部１１４も係合部材１０１の係合部１１２から装置右方にずれることになり、回収庫１８の凹部１１４の側方に形成された上述の図示略の傾斜面も係合部１１２から装置右方にずれることになる。ここで、図示略の押出スプリングは、回収庫１８を、これが引出体本体部８０に装填状態にないことを目視で認識できる程度に部分的に飛び出させるものであり、回収庫１８の全体を引出体本体部８０から飛び出させるものではない。
【００７８】
回収庫１８は、図示略の押出スプリングの付勢力で引出体本体部８０から突出すると、この位置では、装置前方に移動する係合部材１０１の係合部１１２に対して逃げる形状をなしており、よって、この状態で、操作者が係合解除部材１２１の操作ボタン部１２２の押圧操作をやめると、係合部材１０１が係合スプリング１１５の付勢力で装置前側に移動する。その際に、係合部材１０１の突出部１１０の傾斜上面１１１が係合解除部材１２１の突出部１２５の傾斜下面１２６に当接してこれを上方に押圧して係合解除部材１２１を上昇させる。
【００７９】
また、上記のように回収庫１８が図示略の押出スプリングの付勢力で引出体本体部８０から突出すると、図示略の回収庫装填検知センサがこれを検知することになる。すると、制御部６６は、第１ロック部８５のソレノイド９３への電気的な駆動を停止させるとともに、表示部４１および表示ランプ４３，４４による報知を終了する。これにより、ソレノイド９３は、ソレノイド本体９１内に設けられた図示略の内部スプリングの付勢力でプランジャ９２をソレノイド本体９１から突出させることになり、規制部材９６を支持軸９５を中心に回動させる。このとき、操作者が係合解除部材１２１の操作ボタン部１２２の押圧操作をやめていなければ（図８参照）、ソレノイド本体９１の内部スプリングの付勢力で規制部材９６が規制片部９８を係合解除部材１２１の規制当接部１２８に装置後側から当接させて停止することになる。
【００８０】
この状態から操作者が係合解除部材１２１の操作ボタン部１２２の押圧操作をやめて、上記のように係合解除部材１２１を係合スプリング１１５の付勢力で上昇させるか、あるいは、既に操作ボタン部１２２の押圧操作をやめて係合解除部材１２１を上昇させていると、ソレノイド本体９１の内部スプリングの付勢力で規制部材９６が支持軸９５を中心に回動して規制片部９８を係合解除部材１２１の規制当接部１２８の鉛直下方に配置する（図７から図６への移動を参照）。これにより、第１ロック部８５がロック側状態となり、係合解除部材１２１の下方移動つまり第２ロック部８６のロック側状態から解除側状態への切り替えを規制する状態になる。
【００８１】
操作者は、引出体本体部８０から一部が突出した回収庫１８を、その上部の図５に示す取っ手１３７を持ってさらに引き出して引出体本体部８０から取り外し、回収庫１８内の紙幣を取り出す。
【００８２】
回収庫１８を引出体本体部８０に装填する際に、操作者は、回収庫１８を引出体本体部８０の装填位置に装置右方から左方に図示略の押出スプリングの付勢力に抗して押し込む。すると、回収庫１８が上述した図示略の傾斜面を係合部材１０１の係合部１１２に当接させて、係合部材１０１を係合スプリング１１５の付勢力に抗して装置後側に移動させることになり、一旦係合部材１０１を装置後側に逃がす。その際に、係合解除部材１２１は、規制部材９６の規制片部９８で下降が規制されているため、下降することはない（図６参照）。そして、回収庫１８の凹部１１４の位置が係合部材１０１の係合部１１２に合うと、係合部材１０１が係合スプリング１１５の付勢力で移動して係合部１１２を凹部１１４に入り込ませ、図６に示すように引出体本体部８０に対し回収庫１８を取り外し不可にロックする。これにより、回収庫１８が係合部材１０１でロックされた装填状態になる。
【００８３】
ここで、停電や装置故障等で、制御部６６がソレノイド９３を電気的に駆動できない状態にある場合、操作者は、図９に示すキー１３１を、図１０に示すようにキーシリンダ１３４に挿入して開側に回転操作する。すると、キーシリンダ１３４の押圧片部１３３が、支持部材１０５の押圧当接部１３５に当接してこれを装置前側に移動させる。これにより、支持部材１０５は、支持軸１０４を中心に回動して下部の連結軸１０６を装置後側に移動させることになる。つまり、支持部材１０５は、この連結軸１０６を介して連結された係合部材１０１を係合スプリング１１５の付勢力に抗して装置後側に移動させて、その係合部１１２を回収庫１８の凹部１１４から抜け出させる。これにより、ロック機構８４は、回収庫１８の引出体本体部８０に対するロックを解除する。すると、上記と同様に、回収庫１８は図示略の押出スプリングの付勢力で引出体本体部８０から所定量右方に一部が突出することになる。
【００８４】
キー１３１を、キーシリンダ１３４に挿入して閉側に回転操作すると、キーシリンダ１３４の押圧片部１３３が、支持部材１０５の押圧当接部１３５から離れる方向に移動する。すると、係合スプリング１１５の付勢力で係合部材１０１が、支持部材１０５を支持軸１０４を中心に回動させながら装置前側に移動する。その後、回収庫１８を引出体本体部８０に装填する際は、上記と同様の作動となる。
【００８５】
「装填処理」
すべての還流庫２０〜２２から紙幣Ｂを回収する全回収があった場合や還流庫２０〜２２の紙幣Ｂが不足した場合に、釣銭準備金を装填する装填処理が行われるが、この装填処理は、上記した入金処理とほぼ同様に行われる。装填処理時には、図示略の操作部へ装填処理を行うことを選択する操作入力がなされることになり、これにより紙幣入出金装置１１が装填処理を行うための装填動作モードとなる。
【００８６】
以上に述べた本実施形態の紙幣入出金装置１１によれば、装置本体８１に対し回収庫１８をロックおよびロック解除するロック機構８４は、その第１ロック部８５が電気的に駆動されてロック側状態から解除側状態に切り替わる。このように第１ロック部８５が解除側状態にあるときに、第２ロック部８６が、手動操作入力が行われてロック側状態から解除側状態に切り替わると、ロック機構８４は、装置本体８１に対する回収庫１８のロックを解除することになる。よって、操作者が取り外しの意志を持って第２ロック部８６を手動操作することで回収庫１８の装置本体８１に対するロックを解除することができる。その際に、例えば、操作者は、回収庫１８の取っ手１３７を右手で持ちながら第２ロック部８６の操作ボタン部１２２を左手で押し下げるといった操作が可能となり、押出スプリングによる押し出し後、そのまま取っ手１３７を持って回収庫１８を装置本体８１から取り外すことができる。ここで、ロック機構８４は、第２ロック部８６が手動操作されても、第１ロック部８５が電気的に駆動されて解除側状態に切り替わっていなければ、装置本体８１に対する回収庫１８のロックを解除することはない。よって、第２ロック部８６が不用意に手動操作されて装置本体８１に対する回収庫１８のロックが解除されてしまうことを抑制できる。
【００８７】
また、第１ロック部８５は、ロック側状態にあるとき、第２ロック部８６のロック側状態から解除側状態への切り替えを規制する一方、解除側状態にあるとき、第２ロック部８６のロック側状態から解除側状態への切り替えを許容するため、ロック機構８４の構造を簡素化することができる。
【００８８】
また、第２ロック部８６は、係合部材１０１が回収庫１８に係合して回収庫１８を装置本体８１にロックすることになり、係合解除部材１２１は、手動操作入力である押圧操作がなされると移動し係合部材１０１を移動させて係合部材１０１の回収庫１８への係合を解除し回収庫１８の装置本体８１に対するロックを解除する。このような第２ロック部８６に対して、第１ロック部８５は、規制部材９６が係合解除部材１２１の移動を規制することで、係合部材１０１の移動を規制して係合部材１０１の回収庫１８への係合解除を規制する一方で、電気的に駆動されて規制部材９６による係合解除部材１２１の移動規制を解除することで、係合部材１０１の移動を許容して係合部材１０１の回収庫１８への係合解除を許容する。したがって、ロック機構８４の構造を簡素化することができる。
【００８９】
ロック機構８４の強制ロック解除部１３２は、キー１３１が係合されると装置本体８１に対する回収庫１８のロックを解除可能となるため、第１ロック部８５および第２ロック部８６の状態にかかわらず、キー１３１で装置本体８１に対する回収庫１８のロックを解除することができる。ここで、キー１３１とキー７２とは共通形状にしても良く、別形状にしても良い。
【００９０】
ロック機構８４の強制ロック解除部１３２は、キー１３１が係合されると回転可能となり、回転操作されると係合部材１０１を移動させて係合部材１０１の回収庫１８への係合を解除して、装置本体８１に対する回収庫１８のロックを解除することができる。したがって、第１ロック部８５および第２ロック部８６の状態にかかわらず、キー１３１で装置本体８１に対する回収庫１８のロックを解除することができる。しかも、強制ロック解除部１３２が係合部材１０１を移動させることから、ロック機構８４の構造を簡素化することができる。
【００９１】
第１ロック部８５が解除側状態にあるとき、表示部４１および表示ランプ４３，４４が、第２ロック部８６のロック側状態から解除側状態への切り替えが可能な旨を通知するため、第２ロック部８６のロック側状態から解除側状態への切り替えが必要なことを操作者に認識させることができる。よって、不慣れな操作者でも装置本体８１に対する回収庫１８のロックを解除することができる。
【００９２】
以上においては、貨幣処理装置の実施形態として、紙幣Ｂの入出金を行う紙幣入出金装置１１を例にとり説明したが、紙幣および硬貨の少なくともいずれか一方の貨幣について、入金および出金の少なくともいずれか一方を行う貨幣処理装置であって、装置本体に対し着脱可能な貨幣収納庫を有するものであれば、本発明を適用可能である。
【符号の説明】
【００９３】
１１  紙幣入出金装置（貨幣処理装置）
１８  回収庫（貨幣収納庫）
４１  表示部（通知部）
４３  表示ランプ（通知部）
４４  表示ランプ（通知部）
８１  装置本体
８４  ロック機構
８５  第１ロック部
８６  第２ロック部
９３  ソレノイド（規制解除部）
９６  規制部材
１０１  係合部材
１２１  係合解除部材
１３１  キー
１３２  強制ロック解除部
Ｂ  紙幣
【図１】
0006461728.tif 000002
【図２】
0006461728.tif 000003
【図３】
0006461728.tif 000004
【図４】
0006461728.tif 000005
【図５】
0006461728.tif 000006
【図６】
0006461728.tif 000007
【図７】
0006461728.tif 000008
【図８】
0006461728.tif 000009
【図９】
0006461728.tif 000010
【図１０】
0006461728.tif 000011